(57)【要約】【課題】  簡単な構成で筆圧によって筆記部の内圧を上昇させることができる筆記具を提供する。【解決手段】  筆記部とインク収容部とを一体に設けた筆記体を軸筒内に収容した筆記具において、筆記部への筆記荷重によってインク収容部内に収容されたインクを加圧して筆記部に向けて押圧する加圧部材を、前記筆記体の後端に装着した筆記具である。【選択図】図２
2016078277.tif 000002
【特許請求の範囲】
【請求項１】
筆記部とインク収容部とを一体に設けた筆記体を軸筒内に収容した筆記具において、
筆記部への筆記荷重によってインク収容部内に収容されたインクを加圧して筆記部に向けて押圧する加圧部材を、前記筆記体の後端に装着したことを特徴とする筆記具。
【請求項２】
加圧部材は、筆記荷重を受けた際に弾性変形する弾性部材から形成された、後端の閉じた概略中空筒状体であって、内部空間がインク収容部に連通し、その内部空間と加圧部材外部とを連通するスリットを有し、当該外加圧部材の圧縮変形で当該スリットが閉じる構造のものであり、
筆記部への筆記荷重によって加圧部材がその軸方向に圧縮変形することによって、スリットが閉鎖すると共にスリット閉鎖後に加圧部材の内部空間の内圧が上昇し、内圧の上昇によってインク収容部内に収容されたインクを加圧する構造を有することを特徴とする請求項１に記載の筆記具。
【請求項３】
加圧部材には、筆記荷重を受けたときに後端に対して先端を回転させる捩じり機構を設けたことを特徴とする請求項１又は２に記載の筆記具。
【請求項４】
前記捩じり機構は、筆記荷重によって軸方向及び周方向に弾性変形する弾性部材から形成されていることを特徴とする請求項３に記載の筆記具。
【請求項５】
前記捩じり機構を設けた捩じり部には、側壁部に螺旋を描く凹凸を設けて、軸方向変形によって後端部に対して先端部が回転して、筆記体を回転駆動するものであることを特徴とする請求項４に記載の筆記具。
【発明の詳細な説明】
【技術分野】
【０００１】
本発明は、インクを加圧して筆記時の書き味を向上できる筆記具に関する。
【背景技術】
【０００２】
従来、先端に筆記部のあるリフィルが軸筒に固定された又はノック式のリフィルを設けた筆記具においては、使用者がリフィル先端の筆記部を軸筒から突出させて筆記する際に、リフィルを軸筒に対して定位置にして筆記する。
【０００３】
通常、リフィルに筆記部で筆記する際に、加圧部材によってリフィル内の気圧を上昇させてインクの出を良くすれば、書き味が保持可能と考えらえる。このような加圧部材を備えた筆記具に関して下記の従来技術がある。
【０００４】
特許文献１は、ペン先チップを押圧した際に、チップに繋がる筒状弾性部材が弾性変形して、ペン先チップが押圧する力が小さく、且つペン先チップの移動量が小さい塗布具を開示している。
【０００５】
特許文献２〜特許文献６は、軸筒と筆記チップのある先軸（口先具や口金）との間にリターンスプリングを設けて付勢し、筆圧によって軸筒に対して口先具が適宜範囲で前後動してポンピングするようにし、逆止弁を設けた筆記具を開示している。高粘度のインクを筆圧による加圧作用でスムーズに送出可能とし、上向き筆記や衝撃でインクの逆流を逆止弁で防止するようにしている。
【０００６】
しかしながら、上記の特許文献１〜６の塗布具や筆記体は、移動機構が直線的に筆記部又はその周辺を移動させるものであり、筆圧をかけた際に捩じる動作を生じないものである。
【０００７】
また、筆記部を書き味向上の観点から捩じり機構が要請されるが、簡単な構造の捩じり機構は未提案であった。
【先行技術文献】
【特許文献】
【０００８】
【特許文献１】特開２０００−２４７０９０号公報
【特許文献２】特開２０００−２４７０９０号公報
【特許文献３】特開平１１−２４０２８７号公報
【特許文献４】特開平１１−２４０２８６号公報
【特許文献５】特開平１０−７６７８８号公報
【特許文献６】特開平１０−１２９１７６号公報
【特許文献７】実開平７−２０８３号公報
【発明の概要】
【発明が解決しようとする課題】
【０００９】
本発明は、斯かる実情に鑑み、簡単な構成で筆圧によって筆記部の内圧を上昇させることができる筆記具を提供するものである。また、筆記部を回転させて書き味を向上させ得る筆記具を提供するものである。
【課題を解決するための手段】
【００１０】
本発明は、筆記部とインク収容部とを一体に設けた筆記体を軸筒内に収容した筆記具において、
筆記部への筆記荷重によってインク収容部内に収容されたインクを加圧して筆記部に向けて押圧する加圧部材を、前記筆記体の後端に装着したことを特徴とする筆記具である。
【００１１】
本発明において、加圧部材は、筆記荷重を受けた際に弾性変形する弾性部材から形成された、後端の閉じた概略中空筒状体であって、内部空間がインク収容部に連通し、その内部空間と加圧部材外部とを連通するスリットを有し、当該外加圧部材の圧縮変形で当該スリットが閉じる構造のものであり、筆記部への筆記荷重によって加圧部材がその軸方向に圧縮変形することによって、スリットが閉鎖すると共にスリット閉鎖後に加圧部材の内部空間の内圧が上昇し、内圧の上昇によってインク収容部内に収容されたインクを加圧する構造を有することが好適である。
【００１２】
本発明において、加圧部材には、筆記荷重を受けたときに後端に対して先端を回転させる捩じり機構を設けたことが好適である。
【００１３】
本発明において、前記捩じり機構は、筆記荷重によって軸方向及び周方向に弾性変形する弾性部材から形成されていることが好適である。
【００１４】
本発明において、捩じり機構を設けた捩じり部には、側壁部に螺旋を描く凹凸を設けて、軸方向変形によって後端部に対して先端部が回転して、筆記体を回転駆動するものであることが好適である。
【発明の効果】
【００１５】
本発明の筆記具によれば、筆記部への筆記荷重によってインク収容部内に収容されたインクを加圧して筆記部に向けて押圧する加圧部材を、前記筆記体の後端に装着したので、筆記体の後端に装着するという簡単な構成で筆記荷重によってインクが筆記部に押出されて書き味が向上する。特に粒子径が比較的大きいインクが好適である。
【００１６】
筆記体に加圧部材を設ける必要がないため、従来から市販されている。筆記体を使用して加圧部材を取り付ければ本発明の筆記具を簡単に構成できる。
【００１７】
なお、加圧部材には、筆記荷重を受けたときに後端に対して先端を回転させる捩じり機構を設けたものにすれば、加圧部材でインクが押出されると共に筆記体が回転して筆記部先端でインクが切れにくくなり、インク切れによる書き味の劣化を確実に防止できる。
【００１８】
また、捩じり機構は、筆記荷重を受けた時に一体に捩じれて径方向も圧縮する構造とすれば、低ストロークで加圧でき、ストロークしたときに生じる筆記違和感が低減される筆記具を提供できる。
【００１９】
また、筆記時に筆記体が回転することで、スティックスリップ性を押さえて良好な描線をうることができるという優れた効果を奏し得る。
【図面の簡単な説明】
【００２０】
【図１】本発明に係る筆記具の説明図で筆記前を示し、（ａ）が外観図、（ｂ）縦断面図、（ｃ）が加圧体周辺の拡大断面図である。
【図２】図１の筆記具の説明図で筆記時を示し、（ａ）が外観図、（ｂ）縦断面図、（ｃ）が加圧体周辺の拡大断面図である。
【図３】図１の筆記具に設ける継手部に捩じり加圧部を装着した加圧体の説明図で、（ａ）が前方からの斜視図、（ｂ）が前面図、（ｃ）が側面図、（ｄ）別面の側面図、（ｅ）が（ｄ）の状態の縦断面図、（ｆ）が後面図である。
【図４】継手部に装着した捩じり加圧部が筆記時に変形した説明図で、（ａ）が前方からの斜視図、（ｂ）が前面図、（ｃ）が側面図、（ｄ）別面の側面図、（ｅ）が（ｄ）の状態の縦断面図、（ｆ）が後面図である。
【図５】捩じり加圧部が単品の筆記前で変形していない状態の説明図で、（ａ）が前方からの斜視図、（ｂ）が前面図、（ｃ）が側面図、（ｄ）別面の側面図、（ｅ）が（ｄ）の状態の縦断面図、（ｆ）が後方からの斜視図、（ｇ）が後面図である。
【図６】捩じり加圧部が単品の筆記時で変形している状態の説明図で、（ａ）が前方からの斜視図、（ｂ）が前面図、（ｃ）が側面図、（ｄ）別面の側面図、（ｅ）が（ｄ）の状態の縦断面図、（ｆ）が後方からの斜視図、（ｇ）が後面図である。
【図７】継手部の部品図で、（ａ）が前方からの斜視図、（ｂ）が前面図、（ｃ）が側面図、（ｄ）別面の側面図、（ｅ）が（ｄ）の状態の縦断面図、（ｆ）が後方からの斜視図、（ｇ）が後面図である。
【発明を実施するための形態】
【００２１】
以下、本発明の実施形態について添付図面を参照して説明する。
【００２２】
図１〜図２は実施形態に係る筆記具、図３〜図４は加圧体、図５〜図６は捩じり加圧部、図７が継手体のそれぞれの説明図である。
図１は筆記前、図２に筆記時（筆圧をかけた時）を筆記具の状態を示している。
【００２３】
図１に示すように、実施形態に係る筆記具は、筆記部１０とインク収容部１２とを一体に設けたリフィル（筆記体）１４を軸筒１６内に収容した筆記具において、筆記部１０への筆記荷重によってインク収容部１２内に収容されたインクを加圧して筆記部１０に向けて押圧する加圧体３２を、前記リフィル１４の後端に装着したものである。
【００２４】
リフィル１４の前方側の筆記部１０は、未筆記時においては軸筒１６内に収容され、一方、筆記時はノックされて、軸筒１６先端（の先軸２０）から突出して露出する。その筆記時に、筆記荷重により筆記部１０ひいてはリフィル１４が軸筒１６内に押圧され、後退する。
【００２５】
詳しくは、中空の軸筒１６は、本体の先端部１６ａに先軸（口金）２０が螺合され、外面に樹脂弾性材の把持部１８で一体的に覆われる。また、中央部から後ろに内筒２２が内挿・嵌入されて連結されたものであり、全体で一体の軸筒１６を構成している。なお、内筒２２の外周には、軸筒１６外周に向けて延びるクリップ２２ａが一体に形成されている。クリップ２２ａで服ポケットに筆記具を固定できる。
【００２６】
先軸２０は外形がテーパー状を呈し、中空内部に貫通孔２０ａが形成されている。先軸２０の先端側では、貫通孔２０ａ内面に段部２０ｂが形成され、貫通孔２０ａ内に装着されたスプリング２４先端がこの段部２０ｂに係止している。このスプリング２４の後端は接続部３６に係止して、スプリングの弾発力によってリフィル１４が後方に向け付勢されている。
【００２７】
リフィル１４は、先端の筆記部１０の外径よりも本体部のインク収容部１２の外径が大きく形成されている。リフィル１４の先端の筆記部１０はボールペンチップである。筆記部１０は、接続部３６によってインク収容部１２に接続されていて、全体でリフィル１４を構成している。また、リフィル１４の後端にノック棒２６が設けられた、ノック式ボールペンの筆記具となっている。
【００２８】
リフィル１４のインク収容部１２の後部には、概略筒状の継手部２８とその継手部２８の外装の捩じり加圧部３０とからなる加圧体３２が装着されている。加圧体３２の詳細は後述する。
【００２９】
インク収容部１２に充填されるインクは、平均粒子径２〜２０μｍであり、かつ、非熱可塑性である着色樹脂粒子をインク全量に対して５〜３０重量％と、ガラス転移点が０℃未満である非着色粒子とを少なくとも含有することを特徴としている。
【００３０】
詳細に説明すると、着色樹脂粒子は、着色された樹脂粒子からなるものであり、非熱可塑性であり、かつ、平均粒子径が２〜２０μｍとなる着色樹脂微粒子であることが必要である。本発明に用いる着色樹脂粒子としては、例えば、樹脂粒子中に顔料からなる着色剤が分散された着色樹脂粒子、樹脂粒子の表面が顔料からなる着色剤で被覆された着色樹脂粒子、樹脂粒子に染料からなる着色剤が染着された着色樹脂粒子などが挙げられる。
本発明では、着色樹脂粒子が非熱可塑性で上記平均粒子径を充足するものであれば、その構造〔中空構造あり、中空構造なし（密実）〕、形状（球状、多角形状、扁平状、繊維状）等は特に限定されるものでないが、好ましくは、優れた消去性、筆記性、インクとしての経時安定性を発揮せしめる点から、ガラス転移点が１５０℃以上で熱分解温度に近く、更にはメルトフローインデックス値が０．１未満であるような分子内架橋を持つ粒子で粘着性を有せず、かつ、平均粒子径が３〜１５μｍとなる球状の着色樹脂微粒子の使用が望ましい。着色樹脂粒子が熱可塑性で粘着性を有する場合は、粒子同士の凝集が起こりやすくなり、インクの安定性が損なわれたりするなど、好ましくない。また、着色樹脂粒子の平均粒子径が２μｍ未満であると、消去性が低下してしまうこととなり、好ましくない。また、着色樹脂粒子の平均粒子径が２０μｍを越えるものであると、消去性は向上することとなるが、インクとしての濃度が薄くなること、着色樹脂粒子が沈殿しやすくなり、経時的安定性が損なわれること、筆記時の感触が悪くなることなどの不具合が生じることとなり、好ましくない。この着色樹脂粒子の平均粒子径を２〜２０μｍとし、かつ、非熱可塑性のものを用いることにより、初めて、紙の繊維の深部まで入り込むことなく、紙表面付近に留まり、消しゴムなどの消去体によって容易に除去することができることとなる。なお、平均粒子径の測定は、粒度分布測定装置〔粒子径測定器Ｎ４Ｐｌｕｓ（ＣＯＵＬＴＥＲ社製）〕を用いる。
【００３１】
着色樹脂粒子に用いる着色剤としては、酸性染料、食料染料、蛍光染料などが挙げられる。また、顔料としては、カーボンブラック、酸化チタン、酸化鉄などの無機顔料、フタロシアニン系顔料、アゾ径顔料等の有機顔料、および硫化カルシウム等の無機蛍光顔料、その他の蛍光顔料等が挙げられる。
【００３２】
樹脂成分としては、アクリル酸、メタクリル酸、アクリル酸エステル、メタクリル酸エステル、スチレン、アクリロニトリル、ブタジエン等の重合体もしくはこれらの共重合体、ベンゾグアナミン、フェノール樹脂、エポキシ樹脂、ウレタン樹脂等から選択される少なくとも１種が挙げられ、必要に応じて架橋などの処理を行ったものであってもよい。これらの樹脂への着色方法としては、従来公知の懸濁重合、分散重合などの手法が用いられる。好ましい着色樹脂粒子の樹脂分としては、価格や色剤との混和・染着性などの点からアクリル樹脂、ウレタン樹脂、ベンゾグアナミンが望ましい。また、好ましい着色樹脂粒子としては、粘着性を有しないもの、熱可塑性でないものが望ましい。粘着性を有するものでは、キャップを外した状態で一定時間放置した後に筆記すると、カスレが生じやすくなり、良好な描線を得ることができないことがあり、更に、熱可塑性のものでは、経時的に不安定性になりやすく、且つ筆記した描線を一定期間室温以上の温度下で放置した場合に、消去性が低下することなどがあるためである。
【００３３】
着色樹脂粒子の含有量は、インク全量に対して、５〜３０重量％、好ましくは、８〜２０重量％とすることが望ましい。この着色樹脂粒子の含有量が５重量％未満であると、好ましい描線が得られなくなり、また、３０重量％を越えると、筆記感が重くなったり、描線にカスレが生じやすくなり、好ましくない。
【００３４】
非着色粒子は、消去性と耐擦過性との両方の特性を更に付与させるために含有するものであり、ガラス転移点が０℃未満となる非着色粒子を用いる。ガラス転移点は０℃未満、好ましくは−１０℃未満である非着色粒子を用いることで、描線上で、上述の着色樹脂粒子との連続被膜が形成されることとなり、消去性が更に良好になるものである。また、ガラス転移点が０℃未満の非着色粒子は、弱い粘着性を有しているために、耐擦過性が付与されることとなる。なお、０℃以上の非着色粒子を用いたものでは、低温条件下では粒子の連続造膜性が十分に発揮されないため、消去性が劣ることとなる。
【００３５】
非着色粒子としては、非着色のスチレンブタジエン粒子、スチレンアクリル樹脂粒子、アクリル酸エステル粒子、メタクリル酸エステル粒子、シリコンアクリル粒子、ビニルピリジン粒子などが挙げられ、これらの非着色粒子は変性されたものであってもよい。好ましくは、連続被膜の強度、適度な粘着性、インクとしての安定性の点から、スチレンブタジエン粒子（変性有り又は無し）、スチレンアクリル樹脂粒子（変性有り又は無し）、アクリル酸エステル粒子（変性有り又は無し）、メタクリル酸エステル粒子（変性有り又は無し）の使用が望ましい。これらの非着色粒子の平均粒子径は、好ましくは、０．０１〜１０μｍ、更に好ましくは、０．１〜２μｍとなるものが望ましい。非着色粒子の粒子径が０．０１μｍ未満のものであると、紙繊維の空隙の奥に入り込みやすくなるため、消去効果が発揮しにくくなる。また、非着色粒子の粒子径が１０μｍを越えると、耐擦過性が劣ることとなる。これは粒子と紙面の接触面積が減少すること及びその大きさ故に、擦過に対して引っかかりやすくなるためと考えられる。なお、平均粒子径の測定は、粒度分布測定装置〔粒子径測定器Ｎ４Ｐｌｕｓ（ＣＯＵＬＴＥＲ社製）〕を用いる。
【００３６】
非着色粒子の含有量は、インク全量に対して、好ましくは、０．１〜１０重量％、更に好ましくは、０．５〜５重量％とすることが望ましい。この非着色粒子の含有量が０．１重量％未満であると、本発明の効果である消去性と耐擦過性を発揮せしめることができず、また、１０重量％を越えると、粘着性が強くなり、耐擦過性は良好となるが、消去性は著しく低下することとなり、好ましくない。
【００３７】
インクは、水（精製水、イオン交換水、純水等）を主溶剤として用いるが、更に、溶剤として、保水性の付与、筆記感の向上の点から、水に相溶性のある極性基を有する水溶性極性溶剤を使用することができる。用いることができる水溶性極性溶剤としては、エチレングリコール、ジエチレングリコール、トリエチレングリコール、ポリエチレングリコール、プロピレングリコール、エチレングリコールモノメチルエーテル、グリセリン、ピロリドン、トリエタノールアミンなどが挙げられ、これらは単独で又は２種以上混合して用いることができる。
【００３８】
更に、水以外の水溶性液体媒体も使用できる。この水溶性液体媒体としては、グリセリンのエチレンオキサイド若しくはプロピレンオキサイド付加物、及びジグリセリンのエチレンオキサイド若しくはプロピレンオキサイド付加物の中から選ばれる少なくとも１種、好ましくは、ジグリセリンプロピレンオキサイド（４〜３０）モル付加物、ジグリセリンエチレンオキサイド（５〜４０）モル付加物が挙げられる。これらの水溶性液体媒体を用いることにより、更に消去性が良好で耐ペン先乾燥性に優れたインクとすることができる。好ましくは、更なる消去性、耐ペン先乾燥性の向上の点からポリオキシエチレン１３モル付加ジグリセリルエーテル、ポリオキシプロピレン９モル付加ジグリセリルエーテル、ポリオキシエチレン１０モル付加グリセリルエーテル、ポリオキシプロピレン９モル付加グリセリルエーテルを用いることが望ましい。これらの水溶性液体媒体は、保水性が高いこと、着色樹脂粒子や非着色粒子との『離れ』が良好なために、着色樹脂粒子を紙繊維の表面付近に置いていくためではないかと推察される。これらの水溶性液体媒体の含有量は、インク全量に対して、好ましくは、１〜３０重量％、更に好ましくは、５〜１５重量％とすることが望ましい。この水性液体媒体の含有量が１重量％未満であると、更なる消去性、耐ペン先乾燥性の効果を発揮せしめることができず、また、３０重量％を越えると、筆記描線の乾燥性が低下するため、好ましくない。
【００３９】
インクは、上記以外の成分として、本発明の効果を損なわない範囲で、添加剤（任意成分）を用いることができる。添加剤としては、ｐＨ調整剤として、アンモニア、尿素、モノエタノールアミン、ジエタノールアミン、トリエタノールアミン、トリポリリン酸ナトリウム、炭酸ナトリウムなどのリン酸のアルカリ金属塩、水酸化ナトリウムなどのアルカリ金属の水酸化物、防腐剤もしくは防微剤として、フェノール、ナトリウムオマジン、ペンタクロロフェノールナトリウム、１，２−ベンズイソチアゾリン３−オン、２，３，５，６−テトラクロロー４（メチルスルフォニル）ピリジン、安息香酸ナトリウムなど、安息香酸やソルビタン酸やデヒドロ酢酸のアルカリ金属塩、ベンズイミダゾール系化合物などが挙げられる。また、防錆剤としてベンゾトリアゾール、ジシクロへキシルアンモニウムナイトライト、ジイソプロピルアンモニウムナイトライト、トリルトリアゾール、サポニン類、潤滑剤としてポリオキシエチレンラクリルエーテルなどのポリアルキレングリコール誘導体、脂肪酸アルカリ塩、ノニオン系界面活性剤、パーフルオロアルキルエーテルリン酸エステルなどのフッ素系界面活性剤、ジメチレンポリシロキサンのポリエチレングリコール付加物などのポリエーテル変性シリコーンなどが挙げられる。
【００４０】
更に、水溶性の粘度調整剤を添加することにより、更なる安定性のあるインクを得ることができる。粘度調整剤としては、例えば、合成高分子、セルロースおよび多糖類からなる群から選ばれた少なくとも一種を使用することができる。合成高分子としては、例えば、ポリアクリル酸類、ポリビニルアルコール、ポリエチレンオキサイド、ポリビニルピロリドン、ポリビニルメチルエーテル、ポリアクリルアマイドなどを、セルロースとしては、エチルセルロース、メチルセルロース、ヒドロキシメチルセルロース、カルボキシメチルセルロースなどを、多糖類としては、キサンタンガム、グアーガム、カゼイン、アラビアガム、ゼラチン、カラギーナン、アルギン酸、トラガカントガム、ローカストビーンガムなどが挙げられる。
【００４１】
また、上記粘度調整剤等を適宜含有せしめることにより、２５℃の条件下においてＥＭＤ型粘度計で測定した１ｒｐｍの粘度値を、好ましくは、１００〜１５００ｍＰａ・Ｓの範囲、更に好ましくは、５００〜１２００ｍＰａ・Ｓの範囲とすることが望ましい。この１ｒｐｍの粘度値を、１００〜１５００ｍＰａ・Ｓの範囲にすることにより、経時的なインクの分離が発生せず、且つ筆記感が良好なインクとすることができる。更に、２５℃の条件下においてＥＭＤ型粘度計で測定した１００ｒｐｍの粘度値を、好ましくは、１０〜９０ｍＰａ・Ｓ、更に、好ましくは、２０〜５０ｍＰａ・Ｓの範囲とすることが望ましい。この１００ｒｐｍの粘度値を、１０〜９０ｍＰａ・Ｓの範囲にすることにより、カスレの発生しない、良好な描線を実現することができる。
【００４２】
本実施形態のインクは、上記特性の着色樹脂粒子、非着色粒子、水（及び水溶性極性溶剤）、並びに、水性液体媒体、添加剤等を公知の水性インクの製法と同様にして調製することにより製造することができる。本実施形態のインクのｐＨは、使用性、安全性、ボールペン金属部分に対する耐腐食性、アルカリ増粘型増粘剤を使用した場合の増粘力の点からｐＨ調整剤などにより７．０〜９．０に調整されたものが望ましい。
【００４３】
軸筒１６の後端部内に内筒２２が嵌着・固定され、この内筒２２内に、加圧体３２の後端に当接するノック用の回転子３４が装着される。
【００４４】
内筒２２内に例えばカーン式のノック機構として、軸方向に長・短のある切り欠きが周方向に配列され形成されている。また、ノック用の回転子３４の先端外周に突起（図示省略）が外径方向に突出形成される。
【００４５】
軸筒１６内では、スプリング２４によって、リフィル１４と加圧体３２を介して、回転子３４とノック棒２６が軸筒１６（内筒２２）に対して後方に付勢されている。
【００４６】
筆記時に、使用者のノック操作において、ノック棒２６への押圧によって回転子３４を介してリフィル１４が先方に移動すると、押圧解除で回転子３４先端外周の突起が内筒２２の先端切り欠きの短いものに嵌って、リフィル１４の筆記部１０突出状態（筆記時状態）を維持する。
【００４７】
一方、筆記終了時、再度の使用者のノック操作において、ノック棒２６への押圧によって、回転子３４先端外周の突起が、内筒２２の先端切り欠きの短いものから外れて、回転し、押圧解除で長い先端切り欠きに嵌って、リフィル１４の筆記部１０が没入出状態（非筆記時状態）を維持する。
【００４８】
各部を詳細に説明する。
【００４９】
（リフィル１４）
リフィル１４においては、先端の筆記部１０は、接続部３６を介してインク収容部１２先端に連結されている。実施形態の場合、筆記部１０が本体の先端にボール１０ａを設けたボールペンチップであり、内部のインク流路にボール１０ａを押す内装スプリング１０ｂが設けられている。
そして、筆記部１０の本体が概略筒状であり、後端が開口している。
【００５０】
接続部３６は概略中空筒状であって、内径が軸方向中央部で細径になり、その細径の部分に内装スプリング１０ｂ後端が当接・支持される。また、接続部３６の後端部が段状に拡径して、内筒と外筒からなる二重筒構造となり、後端部の二重筒構造が樹脂管のインク収容部１２の先端部に内外に包むように装着されている。
【００５１】
この後端部以外の筆記部１０の外径は、筆記部１０よりも大径で、且つ、インク収容部１２の外径よりも小径に形成されて、段状に拡径している。スプリング２４が接続部３６に外装されて、スプリング２４の先端が上記した先軸２０の段部２０ｂに、後端が接続部３６の段状に拡径した部分に当たり、スプリング２４によってリフィル１４を後方に付勢している。
【００５２】
（軸筒１６）
軸筒１６は、図１に示すように、先端部１６ａに先軸が螺合している。軸筒１６の外周面のゴム弾性材料が覆う把持部１８になっている。
【００５３】
このように、この軸筒１６は、ゴム弾性材料の把持部１８と硬質材料からなる本体との多色成形で形成されている。多色成形は二色成形による方法が好適であるが、他に、別成形のものを接着、嵌合等により一体化する製法でも良い。
【００５４】
把持部１８のゴム弾性材料は材質が熱可塑性エラストマー、天然ゴム、合成ゴム等の各種材料を好適に使用できる。また、軸筒１６の硬質材料はＡＢＳ（アクリロニトリル−ブタジエン−スチレン共重合合成樹脂）、ＰＣ（ポリカーボネート）、ＰＢＴ（ポリブチレンテレフタレート）、ＰＰ（ポリプロピレン）、ＰＥＴ（ポリエチレンテレフタレート）、ＰＭＭＡ（アクリル樹脂）、ＣＯＣ（環状オレフィン樹脂）等の樹脂材が好適に使用できる。
【００５５】
また、筆跡を消去するためにＪＩＳ  Ｓ６０５０に準拠した消しゴムや熱可塑性エラストマーで形成された消去体を、先軸２０の先端、クリップ２２ａやノック棒２６などの一部分に取り付けてもよい。
【００５６】
（加圧体３２）
図１、図３は捩じり機構である加圧体３２の圧縮前の状態、図２、図４は圧縮状態の加圧体３２を示している。また、図５は圧縮前の捩じり加圧部３０、図６は圧縮された捩じり加圧部３０、図７は継手部２８を示している。
【００５７】
図１〜図４に示すように、加圧体３２は、外周にフランジ２８ａを有する概略筒状の継手部２８と、その継手部２８に外装の捩じり加圧部３０とが組み合わされたものであり、フランジ２８ａに捩じり加圧部３０が突き当てて互いを位置決めしている。また、インク収容部１２に継手部２８の前部が挿入されて、そのフランジ２８ａがインク収容部１２の後端に当接している。
【００５８】
また、加圧体３２において、筆圧をかけていない非加圧時には継手部２８の外周と捩じり加圧部３０内周との間に隙間がある。図１、図３に示すように、スリット３０ａは、捩じり加圧部３０内周と継手部２８の後部外周との間の隙間(通気溝２８ｂ等）をとおって、継手部２８の内部空間からインク収容部１２の後方内部に連通している。
【００５９】
筆圧をかけた加圧時には、図２、図４に示すように、弾性変形してスリット３０ａが閉じ、捩じり加圧部３０の前端部が継手部２８側面に密着し、捩じれて加圧し、加圧した空気が継手部２８の後端面に捩じり加圧部３０の後部内面が密着するまで導入される。
【００６０】
図５、図６に示すように、捩じり加圧部３０は、筆記荷重を受けた際に弾性変形する弾性部材から形成された、後端の閉じた概略中空筒状体の構成を有している。また、図７に示すように、継手部２８は、弾性変形しにくい剛性の有る部材で、その外周にフランジ２８ａと凸部分２８ｂが形成されている。
【００６１】
捩じり加圧部３０が、中央部が薄肉で前端部・後端部に厚肉状の拡径部となっている。前端部の拡径部には外周から内周に連通する（その内部空間と捩じり加圧部３０外部とを連通する）スリット３０ａが形成され、押圧によって当該捩じり加圧部３０が圧縮変形して当該スリット３０ａが閉じ、押圧を解除すると当該捩じり加圧部３０が戻りスリット３０ａが開く構造のものである。
継手部２８は、図７に示すように、本体が中空筒状で前端部及び後端部が同径であり、その本体中央部の外周にフランジ２８ａが拡径している。そして、フランジ２８ａの後方に連続して途中まで太い外径の凸部分２８ｂが形成される。凸部分２８ｂが複数あり、その凸部分２８ｂ同士の間に通気溝２８ｂ１が１または複数切り込まれた状態に形成されている。図１に示すように、筆記部１０に筆圧の係らない状態では、スリット３０ａから、通気溝２８ｂ１を通って継手部２８の外周面と捩じり加圧部３０内周面との間を通って、後部から継手部２８の中空内からリフィル１４(インク収容部１２）に連通する。 
【００６２】
また、捩じり加圧部３０は、加圧部材と捩じり部材の機能を一体に有するものである。概略筒状であって、加圧部材の機能として、軸方向変形で開閉するスリット３０ａが形成され、捩じり部材の機能として、拡径した前後端よりも細い側壁部に螺旋を描く凹凸（凹部３０ｂ）を設けて、軸方向変形によって後端部に対して先端部が回転する捩じり運動をして、筆記体（リフィル１４）を回転駆動するものである。
【００６３】
具体的には、捩じり加圧部３０の中央部は、両端部よりも薄肉であって螺旋状又は軸方向に対して斜めに沿って薄くした凹部３０ｂが外面に形成された捩じり構造となっている。
【００６４】
したがって、捩じり加圧部３０には、筆記荷重を受けたときにスリット３０ａが閉じると共に、端に対して先端を回転させる捩じり構造（凹部３０ｂ）を一体に設けた構造になっている。捩じり変形するときに内容積も減少して圧縮するので、軸方向の圧縮と共に、ねじりによる収縮もあり、短いストロークで効率よく内容積が減少するように圧縮でき、インク収容部１２の内圧を上昇させることができる。
【００６５】
また、捩じり加圧部３０は、筆記荷重によって軸方向及び周方向に弾性変形する弾性部材から形成されている。
【００６６】
弾性部材は、エラストマーやゴム弾性材に代表される材料自身が有する適宜の弾性力のあるものや一部を薄肉構造として撓み易い構造である。
【００６７】
実施形態の筆記具によれば、筆記時には、図１に示すようにリフィル１４が軸筒１６内に収まって、筆記部１０が先端から外部に突出した状態とする。
【００６８】
この筆記具では、加圧体３２をインク収容部１２に装着した状態では、加圧体３２の内部空間がインク収容部１２に連通している。
【００６９】
筆記部１０への筆記荷重をかける前は、図１、図３、図５に示すように捩じり加圧部３０も変形していない状態ではスリット３０ａが開いている。
【００７０】
一方、筆記部１０に筆圧をかけたときには、図２、図４、図６に示すように、筆記荷重によって捩じり加圧部３０がその軸方向に圧縮変形と捩じり変形することによって、スリット３０ａが閉鎖すると共にスリット３０ａ閉鎖後に捩じり加圧部３０の内部空間が縮小して内圧が上昇し、内圧の上昇によってインク収容部１２内に収容されたインクを加圧する。なお、図１〜図４に示すように、通気溝２８ｂ１がスリット３０ａの内側に位置している。
その後、筆圧を解除することによってスリット３０ａが開き、継手部２８外周から通気溝２８ｂ１を介して外気がインク収容部１２内に連通する。
【００７１】
実施形態の筆記具によれば、筆記部１０への筆記荷重によってインク収容部１２内に収容されたインクを加圧して筆記部１０に向けて押圧する加圧体３２（捩じり加圧部３０と継手部２８）を前記リフィル（筆記体）１４の後端に装着したので、リフィル１４の後端に装着するという簡単な構成によって、筆記荷重によりインクが筆記部１０に押出されるので、筆記中でのインクがかすれることを防ぐことができる。
【００７２】
また、リフィル１４自体に加圧部材を設ける必要がないため、従来から市販されている筆記体リフィルを使用してそれに加圧体３２を装着するだけで、実施形態の筆記具を簡単に構成できる。したがって、経済性、利便性が高い。
【００７３】
なお、加圧体３２には、筆記荷重を受けたときに後端に対して先端を回転させる捩じり加圧部３０を設けたものであるので、加圧時にインクが押出されると共にリフィル１４が回転して筆記部１０先端でインクが切れにくくなり、インク切れによる書き味の劣化を確実に防止できる。
【００７４】
また、加圧体３２は、捩じり加圧部３０として加圧部材に捩じり部材を一体に設けた構成であるので、筆記荷重を受けた時に一体に捩じれて径方向も圧縮する構造となり、短いストロークで加圧でき、筆記時でのストロークしたときに生じる違和感が低減される。
【００７５】
また、筆記時にリフィル１４が回転することで、スティックスリップ性を押さえて良好な描線を得ることもできるという優れた効果を奏し得る。
【００７６】
なお、本発明は前記実施形態に限定されず、本発明の範囲内で種々に変形実施できる。実施形態において、捩じり加圧部は加圧部材と捩じり部材を一体化したものであるが、加圧部材と捩じり部材を別体に形成して、連続させる等して構成してもよい。
【産業上の利用可能性】
【００７７】
本発明の筆記具は、ボールペンの他、マーキングペン先等の筆記具、修正具にも利用することができる。
【符号の説明】
【００７８】
１０  筆記部
１２  インク収容部
１４  リフィル
１６  軸筒
１６ａ  先端部
２０  先軸
２２  内筒
２４  スプリング
２６  ノック棒
２８  継手部
２８ａ  フランジ
２８ｂ  凸部分
２８ｂ１  通気溝
３０  捩じり加圧部
３０ａ  スリット
３０ｂ  凹部
３２  加圧体
【図１】
2016078277.tif 000003
【図２】
2016078277.tif 000004
【図３】
2016078277.tif 000005
【図４】
2016078277.tif 000006
【図５】
2016078277.tif 000007
【図６】
2016078277.tif 000008
【図７】
2016078277.tif 000009